(57)【要約】  【課題】  硬質素材から形成した引手と胴体とが衝突しても接触音を発生しない消音または遮音機能を備えたスライドファスナー用スライダーを提供する。  【解決手段】  胴体３および引手４は金属をダイカスト成形または硬質プラスチックを射出成形によって形成し、胴体３および引手４の形態は任意であるが、引手４が胴体３に接触する部位の摘み部２０に、例えば凹陥部２２を設け、この凹陥部２２に小透孔を設け、この透孔を利用して軟質プラスチックを射出成形、または被着させて引手４に隆出した緩衝部材３０を設け、この緩衝部材３０が胴体３に衝突しても接触音の発生を阻止し、または吸収して消音効果、遮音効果を達成する。【選択図】  図１
2005152021.tif 000002
【特許請求の範囲】
【請求項１】
硬質素材から形成した胴体３と引手４の接触部位において、引手４に軟質素材の緩衝部材３０を表面へ隆起する形に配設してなることを特徴とするスライドファスナー用スライダー。
【請求項２】
案内柱９上面に回動自在に装着した引手４の摘み部２０に緩衝部材３０を配設してなる請求項１記載のスライドファスナー用スライダー。
【請求項３】
胴体３上面の引手取付部１１に装着した引手４の取付環部１９の両側に緩衝部材３０を配設してなる請求項１記載のスライドファスナー用スライダー。
【請求項４】
胴体３上面の引手取付部１１に胴体３の前後方向へ可動し揺動自在に装着した引手４の摘み部２０に緩衝部材３０を配設してなる請求項１記載のスライドファスナー用スライダー。
【請求項５】
引手４における取付部１８の近傍の摘み部２０に凹陥部２２を設け、該凹陥部２２に複数の小透孔２３を設け、凹陥部２２に緩衝部材３０を装着してなる請求項１記載のスライドファスナー用スライダー。
【請求項６】
引手４における取付部１８の近傍の摘み部２０に透孔２１を設け、該透孔２１に緩衝部材３０を装着してなる請求項１記載のスライドファスナー用スライダー。
【請求項７】
引手４における取付部１８の近傍の摘み部２０に透孔２１を設け、かつ摘み部２０の先端に設けた透孔２１とによって緩衝部材３０を一体成形して配設してなる請求項１記載のスライドファスナー用スライダー。
【請求項８】
スライダー１をファスナーチエン３５に衝合状に２個挿通し、引手４の取付部１８を相互に反する形に曲折した曲折部２４を設けた引手４の先端に設けた透孔２１を重合可能に配し、かつ摘み部２０に配した緩衝部材３０同士が当接可能に形成してなる請求項１記載のスライドファスナー用スライダー。
【発明の詳細な説明】
【技術分野】
【０００１】
この発明は、スライドファスナー用スライダーであって、スライドファスナーをスポーツウェアなどに取り付けて使用する場合、ジョギングによって引手が揺動して胴体に衝突して発生する接触音を簡単な機構で消音また遮音できるスライドファスナー用スライダーに関するものである。
【背景技術】
【０００２】
従来、スライドファスナーをスポーツウェアなどの前身頃に取り付け、スポーツウェアを着用して運動する場合、例えばジョギングするとスライダーの引手がリズミカルに揺動することによって、引手が胴体に衝突して騒音すなわち接触音を発生する。この接触音がジョギングする人にとっては耳障りである。またバッグを携行して歩行するときなど、引手が胴体に衝突して接触音が発生し耳障りで、接触音の消音あるいは遮音対策が採られている。
【０００３】
従来の消音あるいは遮音対策として、図１１に示すようにスライダーの爪杆に装着して連結体の一端に環状の取付部を設け、この環状の取付部にリングからなる弾性体を射出成形して引手を形成する。そしてリングの自由端でファスナーエレメントまたはウェアの生地を押圧することによって、引手が弾むのを阻止して接触音の発生を防止したスライダーが知られている。
【０００４】
また、図１２に示すようにファスナーに装着してスライダーの引手に金属製または合成樹脂製のカバーを差し込み、カバーの先端に丸穴状の被係止部を設け、ウェアの前身頃の生地に被係止部と係合できる突起状の係止部のある突起プレートを取り付け、ファスナーを閉鎖したとき、カバーの被係止部とウェアの生地に取り付けた突起プレートの係止部とを係合させ、引手の揺動を防止して耳障りな接触音の発生を阻止したスライダーが知られている。
【特許文献１】米国特許第５１０１５３８号明細書
【特許文献２】特開２００１−２０４５１４号公報
【発明の開示】
【発明が解決しようとする課題】
【０００５】
前述の図１１に示したスライドファスナーのスライダーは、機構が複雑であり専用の引手が必要である。従って製造コストが高くなり、安価に提供することが難しい。また図１２に示したスライドファスナーのスライダーは、最後まで摺動させて係止具を直視して係止させなければならないから面倒である。引手を係止しないとき、または途中でストップさせたときは、引手の取付環が表出しているため胴体と引手の取付環が衝突して接触音を発生するので必ず係止操作を行う必要があり面倒である。
【０００６】
この発明は、上述の問題点を考慮して発明されたものであり、請求項１記載の発明は、スライダー胴体に備える引手は、自由自在に揺動または回動することができるが、胴体と引手とが当接して接触音を発生させないこと、また接触音を低減させる機構が簡単で安価に作製できる優れた消音効果また遮音効果を発揮できるスライドファスナー用スライダーを提供することが主たる目的である。
【０００７】
請求項２〜４記載の発明は、それぞれ請求項１記載の発明の目的に加え、接触音の低減を図る緩衝部材を配した引手を胴体の何処に取り付けたか、スライダーの形態を特定して、優れた消音効果また遮音効果を発揮できるスライドファスナー用スライダーを提供することが目的である。
【０００８】
請求項５〜７記載の発明は、それぞれ請求項１記載の発明の目的に加え、接触音の低減を図る緩衝部材を胴体に取り付けた引手の何処に取り付けたか、引手の形態を特定して優れた消音効果また遮音効果を発揮できるスライドファスナー用スライダーを提供することが目的である。
【０００９】
請求項８記載の発明は、請求項１記載の発明の目的に加え、接触音の低減を図る緩衝部材をバッグ、ケースなどによく用いられる施錠機能を有するスライドファスナーのスライダーに適用し、効率のよい施錠ができ、かつ優れた消音効果また遮音効果が発揮できるスライダーを備えたスライドファスナーを提供することが目的である。
【課題を解決するための手段】
【００１０】
前記の目的を達成するため、この発明のうち請求項１記載の発明は、硬質素材例えば亜鉛合金、アルミニウム合金などの金属、またはポリアミド、ポリアセタール、ポリプロピレン、ポリブチレンテレフタレートなどの硬質プラスチックから形成したスライダー１の胴体３と引手４とが接触する部位において、引手４に軟質素材例えばポリウレタン、シリコーンゴム、熱可塑性エラストマーなどの軟質プラスチックから形成した緩衝部材３０を取り付け、緩衝部材３０を引手４の表面へ隆起または膨出する形状に取り付け、胴体３と引手４とは緩衝部材３０を介在して接触するように形成し、消音また遮音を図ったスライドファスナー用スライダーを主な構成とするものである。ここで軟質素材とは、硬質素材よりも軟質のものを指す。
【００１１】
請求項２記載の発明は、請求項１記載の発明の構成に加え、引手４は胴体３の案内柱９の上面に揺動かつ回動自在に取り付け、この引手４の摘み部２０に緩衝部材３０を取り付けたスライドファスナー用スライダーである。
【００１２】
請求項３記載の発明は、請求項１記載の発明の構成に加え、引手４は胴体３の上面に形成した引手取付部１１に取り付け、この引手４の取付部１８に取り付けるための取付環部１９の両側部分に緩衝部材３０を取り付けたスライドファスナー用スライダーである。
【００１３】
請求項４記載の発明は、請求項１記載の発明の構成に加え、引手４は胴体３の上面に形成した引手取付部１１に前後方向へ可動し揺動自在に取り付け、この引手４の摘み部２０に緩衝部材３０を取り付けたスライドファスナー用スライダーである。
【００１４】
請求項５記載の発明は、請求項１記載の発明の構成に加え、胴体３に取り付けた引手４の摘み部２０において、取付部１８の近傍に表裏両面の表面が窪んだ凹陥部２２を設け、この凹陥部２２に複数の小形の小透孔２３を設け、この小透孔２３を介して凹陥部２２に緩衝部材３０を表裏両面で被覆する形状に取り付けたスライドファスナー用スライダーである。
【００１５】
請求項６記載の発明は、請求項１記載の発明の構成に加え、胴体３に取り付けた引手４の摘み部２０において、取付部１８の近傍に透孔２１を設け、この透孔２１に緩衝部材３０を取り付けたスライドファスナー用スライダーである。
【００１６】
請求項７記載の発明は、請求項１記載の発明の構成に加え、胴体３に取り付けた引手４の摘み部２０において、取付部１８の近傍に透孔２１を設け、かつ摘み部２０の先端に設けた透孔２１とにわたって、緩衝部材３０を一体成形して引手４の摘み部２０全体を被覆する形に取り付けたスライドファスナー用スライダーである。
【００１７】
請求項８記載の発明は、請求項１記載の発明の構成に加え、ファスナーチエン３５に２個のスライダー１を衝合状すなわち突き合わせ状態に挿通し、引手４は取付部１８においてへの字状に曲折した曲折部２４を設け、この引手４の先端に設けた透孔２１を重合できるように、引手４の曲折部２４を互いに反する形状に配し、透孔２１の重合時には引手４の摘み部２０に取り付けた緩衝部材３０同士が当接して消音また遮音を図った施錠機能を有するスライドファスナー用スライダーである。
【発明の効果】
【００１８】
この出願の発明の効果として、請求項１記載の発明は、硬質素材から形成した胴体と引手の接触部位において、引手に軟質素材の緩衝部材を表面へ隆起する形に配設したことによって、スライダー胴体に対し引手を自由自在に揺動かつ回動できる状態に取り付けたスライダーにおいて、胴体と引手とが硬質素材から形成されているが、スライドファスナーに可動または振動を与えて双方が当接しても軟質素材の緩衝部材が介在するため、接触音を吸収し低減して消音効果また遮音効果を簡単な機構で的確に発揮できる効果がある。
【００１９】
請求項２記載の発明は、請求項１記載の発明の効果に加え、案内柱上面に回動自在に装着した引手の摘み部に緩衝部材を配設したことによって、胴体の案内柱の上面に取り付けた引手の摘み部の表裏両面に緩衝部材を取り付け、効果的に接触音を吸収して、優れた消音効果また遮音効果を発揮できる効果がある。
【００２０】
請求項３記載の発明は、請求項１記載の発明の効果に加え、胴体上面の引手取付部に装着した引手の取付環部の両側に緩衝部材を配設したことによって、胴体の上面に設けた引手取付部に取り付けた引手が胴体の前後に可動し揺動するため、引手の取付環部に取り付けた緩衝部材により効果的に接触音を吸収して、優れた消音効果また遮音効果を発揮できる効果がある。
【００２１】
請求項４記載の発明は、請求項１記載の発明の効果に加え、胴体上面の引手取付部に胴体の前後方向へ可動し揺動自在に装着した引手の摘み部に緩衝部材を配設したことによって、胴体の上面に設けた引手取付部に取り付けた引手が胴体の前後に可動し揺動するため、引手の摘み部に取り付けた緩衝部材により効果的に接触音を吸収して、優れた消音効果また遮音効果を発揮できる効果がある。
【００２２】
請求項５記載の発明は、請求項１記載の発明の効果に加え、引手における取付部の近傍の摘み部に凹陥部を設け、該凹陥部に複数の小透孔を設け、凹陥部に緩衝部材を装着したことによって、凹陥部の小透孔を介して表裏両面に緩衝部材を成形しているから、緩衝部材は端縁が埋装され他物に引っ掛かることがなく簡単に剥離することができない。従って長期の使用に耐え、優れた消音効果また遮音効果を発揮できる効果がある。
【００２３】
請求項６記載の発明は、請求項１記載の発明の効果に加え、引手における取付部の近傍の摘み部に透孔を設け、該透孔に緩衝部材を装着したことによって、引手が胴体に対し前後に揺動するタイプの引手に有効的に緩衝部材を取り付けることができ、優れた消音効果また遮音効果を発揮できる効果がある。
【００２４】
請求項７記載の発明は、請求項１記載の発明の効果に加え、引手における取付部の近傍の摘み部に透孔を設け、かつ摘み部の先端に設けた透孔とによって緩衝部材を一体成形して配設したことによって、引手の摘み部の全長にわたって緩衝部材を成形したので、あらゆる種類、タイプの引手にも有効に適用することができる効果がある。
【００２５】
請求項８記載の発明は、請求項１記載の発明の効果に加え、スライダーをファスナーチエンに衝合状に２個挿通し、引手の取付部を相互に反する形に曲折した曲折部を設けた引手先端に設けた透孔を重合可能に配し、かつ摘み部に配した緩衝部材同士が当接可能に形成したことによって、ファスナーチエンに挿通した２個のスライダーの引手を利用して、施錠させることができ、かつ引手は互いに緩衝部材が当接して有効な消音効果また遮音効果を発揮できる効果があるなど、この発明が奏する効果はきわめて顕著である。
【発明を実施するための最良の形態】
【００２６】
この発明におけるスライドファスナー用スライダーにおいて、スライダー１は上翼板７と下翼板８とを案内柱９で連結した各種タイプの胴体３に各種タイプの引手４を揺動または回動自在に取り付け、胴体３および引手４は硬質素材、例えば亜鉛合金、アルミニウム合金などの金属を用いてダイカスト成形によって形成し、またはポリアセタール、ポリアミド、ポリプロピレン、ポリブチレンテレフタレートなどの硬質プラスチックを用いて射出成形によって形成する。胴体３に引手４を各種の取付形態で取り付けたとき、胴体３と引手４とが引手４の揺動または回動時に接触する部位の引手４に軟質素材、例えばポリウレタン、シリコーンゴム、熱可塑性エラストマーなどの軟質プラスチックから形成した緩衝部材３０を引手４の表面へ隆起あるいは膨出させる形態に取り付け、胴体３と引手４との衝突を緩衝して接触音の発生を阻止し吸収を図ったスライドファスナー用スライダーである。
【００２７】
引手４に緩衝部材３０を取り付けるには、胴体３と接触可能な部位における引手４の摘み部２０に一定の広さの凹陥部２２を設け、この凹陥部２２内に小形の小透孔２３を複数個設け、この小透孔２３を介して引手４の表裏両面へ隆起または膨出する形状に緩衝部材３０として軟質プラスチックを射出成形手段によって成形し、凹陥部２２を被覆することによって、緩衝部材３０を引手４から剥離させることができない。従って長期にわたって消音効果また消音効果を発揮できる利点がある。
【実施例１】
【００２８】
図１〜５に示す実施例１のスライドファスナー用スライダーについて説明すると、スライダー１は胴体３および引手４を亜鉛合金、アルミニウム合金などの金属をダイカスト成形で形成するか、またはポリアセタール、ポリアミド、ポリプロピレン、ポリブチレンテレフタレートなどの硬質プラスチックを射出成形によって形成する。スライダー１は図１に示すように上翼板７と下翼板８を案内柱９で連結して胴体３を形成し、この胴体３に引手４を揺動および回動自在に取り付ける。引手４は図２に示すように、案内柱９の上下に横方向へ拡がった拡張部１２を設けた取付孔１０に挿通された取付杆２７の上側へ軸支する。取付杆２７は下側に径が太くなる拡径部２８を形成して取付孔１０の拡張部１２に嵌入して回動自在に形成する。
【００２９】
引手４は図２に示すように、胴体３の上翼板７上へ倒伏したとき、引手４が胴体３と接触する部位の摘み部２０に、図４に示すように取付部１８の近傍から、摘み部２０の先端に設けた透孔２１に向けて平面長円形に窪んだ凹陥部２２を設け、この凹陥部２２内に複数個の小形の小透孔２３を設ける、凹陥部２２には図５に示すように、緩衝部材３０として軟質素材、例えばポリウレタン、シリコーンゴム、熱可塑性エラストマーなどの軟質プラスチックを用いて、凹陥部２２に射出成形によって成形し、この緩衝部材３０は凹陥部２２に設けた小透孔２３を介して引手４の表裏へ隆起し膨出する形状で凹陥部２２を被覆する。また緩衝部材３０の外表面に、引手４の長手方向と直交する形で凹溝３９を刻設して滑り止めを施し、掴み易く形成する。引手４は二叉状の取付部１８に設けたピン挿通孔２５と、取付杆２７の上側に設けたピン挿通孔２９とにピン３１を挿通して引手４を取付杆２７の上側に軸支してスライダー１を完成させる。
【００３０】
このスライダー１は胴体３の案内柱９に挿通した取付杆２７を中心に水平方向に回動することができ、また胴体３の前後左右へ起倒して揺動させることができる。そして引手４を回動あるいは揺動の際、胴体３に接触する部位は軟質素材から形成された緩衝部材３０が存在するため、引手４を激しく可動させ胴体３に衝突させても、緩衝部材３０によって接触音の発生を阻止し、また吸収する作用があり、消音効果また遮音効果を達成させることができる。
【実施例２】
【００３１】
図６に示す実施例２のスライドファスナー用スライダーは、胴体３の上翼板７上であって案内柱９の上面から胴体３の後口側すなわち後方へ向けて鍵形の引手取付部１１を片持状に突設し、この引手取付部１１に短冊形の引手４を取り付けるが、引手４の一端に設けた取付用の環状に形成した取付環部１９を引手取付部１１の先端の間隙から嵌め込んで取り付ける。この取付環部１９の両側のアーム部分に軟質素材の緩衝部材３０を被着させ、胴体３の前後に揺動して引手４を起倒させると、その動作の際、胴体３と引手４とが接触する部位に緩衝部材３０が介在するため、引手４を激しく可動させ胴体３に衝突させても緩衝部材３０により接触音の発生を阻止し、また吸収する作用があり、消音効果また遮音効果を達成させることができる。
【実施例３】
【００３２】
図７，８に示す実施例３のスライドファスナー用スライダーは、胴体３の上翼板７上であって案内柱９の上面から後口側へ向けて鍵形の引手取付部１１を片持状に突設し、この引手取付部１１に短冊形の引手４を取り付け、引手４の一端に設けた取付環部１９の近傍の摘み部２０で胴体３に接触する部位に各種の形状の透孔２１を設け、この透孔２１にスナップ係合ができる上下縁部が横方向へ突出した係止部分を有する緩衝部材３０の栓体３２を嵌着させ、この栓体３２が引手４を胴体３上へ倒伏させたとき、胴体３と引手４との間に介在させ、引手４を胴体３に衝突させても、栓体３２から形成した緩衝部材３０によって、接触音の発生を阻止し、また吸収して消音効果また遮音効果を達成させることができる。
【実施例４】
【００３３】
図９に示す実施例４のスライドファスナー用スライダーは、胴体３の上翼板７上であって案内柱９の上面で左右両側から上方へ突出する引手取付部１１としての一対の取付柱１６を設け、この取付柱１６にピン挿通孔２９を設ける。一方引手４は短冊形で一端に分厚い取付部１８を設け、この取付部１８にピン３１が挿通できるピン挿通孔２５を設け、一対の取付柱１６の間に取付部１８を配置した状態で取付柱１６のピン挿通孔２９と引手４のピン挿通孔２５とを整合させてピン３１を挿通して引手４を軸着する。
【００３４】
引手４は摘み部２０であって取付部１８の近傍で胴体３上に重なる部位に透孔２１を設け、さらに摘み部２０の先端に設けた透孔２１を利用して、緩衝部材３０を引手４の摘み部２０の全長にわたって、摘み部２０が埋装されるように軟質プラスチックを射出成形により被着する。従って引手４を激しく揺動させて胴体３に衝突させても、緩衝部材３０により接触音の発生を阻止し、また吸収する作用があり、消音効果また遮音効果が達成できる。
【実施例５】
【００３５】
図１０に示す実施例５のスライドファスナー用スライダーは、実施例１で説明したスライダー１と略同一形状であるが、引手４の取付部１８において、断面への字状に曲折して曲折部２４を設けた点で異なる以外は同一形態である。ファスナーテープ３７の側縁に線条ファスナーエレメント３６を縫糸３８によって縫着したファスナーチエン３５に対し、スライダー１を２個衝合状すなわち肩口側を突き合わせ状に挿通したものである。挿通されたスライダー１を衝合させたとき、双方の引手４を重合させるため、引手４の取付部１８に形成した曲折部２４を相反する形に引手４を可動させて重合し、引手４の摘み部２０の先端に設けた透孔２１を重ね合わせ、この透孔２１に施錠具３３の錠杆３４を挿通して施錠する。施錠された引手４はそれぞれの引手４に配設した緩衝部材３０同士が当接する結果、接触音の発生を阻止し、また吸収して消音効果また遮音効果を達成させることができる。
【産業上の利用可能性】
【００３６】
この発明のスライドファスナー用スライダーは、小型の引手はスポーツウェアなどの身の回りの品に取り付けて使用する場合、またバッグ、ケースなど身近な商品に使用する場合に適す。さらに大型の引手はショルダーバッグなどに使用する引手として適し、施錠機構を備えた引手はキャリアバッグの引手として利用できる。なお短冊形の引手は自動停止装置付スライダーの引手としても利用できるものである。
【図面の簡単な説明】
【００３７】
【図１】実施例１のスライドファスナー用スライダーの斜視図である。
【図２】同上スライダーの一部を切欠し、引手の揺動状態を示す断面図である。
【図３】同上スライダーにおける引手の回動状態を示す正面図である。
【図４】同上スライダーにおける引手の正面図である。
【図５】同上スライダーにおける引手の一部を切欠した側面図である。
【図６】実施例２のスライドファスナー用スライダーの一部を切欠した正面図である。
【図７】実施例３のスライドファスナー用スライダーの一部を切欠した側面図である。
【図８】同上スライダーの正面図である。
【図９】実施例４のスライドファスナー用スライダーの断面図である。
【図１０】実施例５に基づくスライダーの引手の使用状態を示す正面図である。
【図１１】公知の引手の揺動を阻止したスライダーの斜視図である。
【図１２】他の公知の引手の揺動を阻止したスライダーの正面図である。
【符号の説明】
【００３８】
１            スライダー
３            胴体
４            引手
９            案内柱
１１            引手取付部
１８            取付部
１９            取付環部
２０            摘み部
２１            透孔
２２            凹陥部
２３            小透孔
２４            曲折部
３０            緩衝部材
３５            ファスナーチエン
【図１】
2005152021.tif 000003
【図２】
2005152021.tif 000004
【図３】
2005152021.tif 000005
【図４】
2005152021.tif 000006
【図５】
2005152021.tif 000007
【図６】
2005152021.tif 000008
【図７】
2005152021.tif 000009
【図８】
2005152021.tif 000010
【図９】
2005152021.tif 000011
【図１０】
2005152021.tif 000012
【図１１】
2005152021.tif 000013
【図１２】
2005152021.tif 000014